(57)【要約】【課題】補高調整板を容易に靴本体から脱離させることができる補高靴の提供。【解決手段】当該補高靴（１００）は、靴本体（１０、２０、２１０、３１０）と、少なくとも１つの補高調整板（１１、１ｆ〜３ｆ、１ｒ〜３ｒ）とを備える。補高調整板（１１、１ｆ〜３ｆ、１ｒ〜３ｒ）は、面ファスナー（４）を用いて靴本体（１０、２０、２１０、３１０）の底面（１０ｂ、２０ｂ）に接着可能及び脱離可能に設けられている。靴本体（１０、２０、２１０、３１０）の底部（１０ｄ、３１０ｄ）の側面、又は補高調整板（１１、１ｆ〜３ｆ、１ｒ〜３ｒ）の側面には、挿入溝（１ｆｃ〜３ｆｃ、１ｒｃ〜３ｒｃ、１０ｆｃ、１０ｒｃ、１０ｆｅ、１０ｒｅ）が設けられている。【選択図】図２
2019055017.tif 000002
【特許請求の範囲】
【請求項１】
靴本体と、
面ファスナーを用いて当該靴本体の底面、及び接地板との間に挟まれるように接着可能及び脱離可能に設けられた、少なくとも１つの補高調整板と、を備える補高靴であって、
前記靴本体の底部の側面、又は前記補高調整板の側面には、挿入溝が設けられている、
補高靴。
【発明の詳細な説明】
【技術分野】
【０００１】
本発明は、補高靴に関し、特に、補高調整板を備える補高靴に関する。
【背景技術】
【０００２】
特許文献１には、補高調整板に相当する補高調節片を備える補高靴が開示されている。この補高調節片は、使用者の足の前側に取り付けられる前足部用補高調節片と、足の後側に取り付けられる踵部用補高調節片とを備える。補高調節片は、面ファスナーを用いて、靴本体の底面に脱着可能に取り付けられている。
【先行技術文献】
【特許文献】
【０００３】
【特許文献１】特開２０１０−０８８６６２号公報
【発明の概要】
【発明が解決しようとする課題】
【０００４】
ところで、補高調節片を靴本体から取り外す場合、指等を、密着した補高調節片と靴本体との境界に挿し込んだり、補高調節片を曲げてしまったりすることがあった。そのため、補高調節片の使用寿命が、短くなることがあった。
【０００５】
本発明は、補高調整板を容易に靴本体から脱離させるものとする。
【課題を解決するための手段】
【０００６】
本発明に係る補高靴は、
靴本体と、
面ファスナーを用いて当該靴本体の底面、及び接地板との間に挟まれるように接着可能及び脱離可能に設けられた、少なくとも１つの補高調整板と、を備える補高靴であって、
前記靴本体の底部の側面、又は前記補高調整板の側面には、挿入溝が設けられている。
【０００７】
このような構成によれば、靴本体の底部、又は補高調整板は挿入溝を有する。指等を挿入溝に挿入し、引っ掛けることによって、補高調整板を容易に靴本体から脱離させることができる。また、補高調整板を靴本体から脱離させるために、補高調整板と靴本体とが接着した境界部分に、指などを挿し込むことを必要とすることが無い。従って、補高調整板に余計な力を与えないため、補高調整板を脱離する場合、補高調整板の変形を抑制することができる。よって、補高調整板の使用寿命の低下を抑制することができる。
【発明の効果】
【０００８】
本発明によれば、補高調整板を容易に靴本体から脱離させることができる。
【図面の簡単な説明】
【０００９】
【図１】実施の形態１に係る補高靴の全体側面図である。
【図２】実施の形態１に係る補高靴の分解斜視図である。
【図３】実施の形態１に係る補高靴の底面を示す概略図である。
【図４】実施の形態１に係る補高靴の底面を示す概略図である。
【図５】実施の形態１に係る補高靴の一変形例の底面を示す概略図である。
【図６】実施の形態１に係る補高靴の要部の一変形例の全体側面図である。
【図７】実施の形態１に係る補高靴の要部の一変形例の全体底面図である。
【図８】実施の形態２に係る補高靴を示す全体側面図である。
【図９】実施の形態２に係る補高靴の要部を示す斜視図である。
【図１０】実施の形態２に係る補高靴の要部を示す斜視図である。
【図１１】実施の形態２に係る補高靴の要部を示す斜視図である。
【図１２】実施の形態３に係る補高靴の全体側面図である。
【発明を実施するための形態】
【００１０】
以下、本発明を適用した具体的な実施形態について、図面を参照しながら詳細に説明する。ただし、本発明が以下の実施形態に限定される訳ではない。また、説明を明確にするため、以下の記載及び図面は、適宜、簡略化されている。例えば、図３では、靴本体１０、２０（後述）は、分かり易さのため、大きく描画されている。なお、図１〜図１２では、ＸＹＺ３次元直交座標を規定した。また、図３〜５では、分かり易さのため、接地板５２の図示を省略した。
【００１１】
（実施の形態１）
図１〜図５を参照して実施の形態１に係る補高靴について説明する。
【００１２】
図１に示すように、補高靴１００は、靴本体１０と、補高調整板１１と、接地板５２と、靴本体２０（図３参照）と、補高調整板２１（図示略）とを備える。靴本体１０は、左足用である一方、靴本体２０は、右足用である。靴本体２０は、靴本体１０の各構成と左右対称の形状を有する構成を備える。補高調整板２１は、補高調整板１１の各構成と左右対称の形状を有する構成を備える。
【００１３】
靴本体１０は、補高靴１００の使用者（図示略）が足を入れて、当該足全体を保持する。靴本体１０は、多種多様な種類の靴を利用することができる。靴本体１０は、例えば、紐やベルトを用いて、補高靴１００の使用者の足をホールドする靴である。靴本体１０は、上面１０ａと、底面１０ｂとを備える。
【００１４】
補高調整板１１は、面ファスナー４（図２参照）を用いて、靴本体１０の底面１０ｂに接着可能及び脱離可能に設けられている。補高調整板１１の側面には、挿入溝が設けられている。補高調整板１１は、挿入溝が引っ掛かることによって、靴本体１０から脱離する。補高調整板１１は、靴本体１０の底面１０ｂと接地板５２とに挟まれている。接地板５２は、補高靴１００を使用した場合に、地面との接触を繰り返す部位である。接地板５２は、表底部とも称する。図１及び図２に示す補高調整板１１の一例は、爪先側補高調整板１ｆ、２ｆ、３ｆ、及び踵側補高調整板１ｒ、２ｒ、３ｒを備える。爪先側補高調整板１ｆ、２ｆ、３ｆと、踵側補高調整板１ｒ、２ｒ、３ｒとの側面には、挿入溝１ｆｃ、２ｆｃ、３ｆｃ、１ｒｃ、２ｒｃ、３ｒｃがそれぞれ設けられている。
【００１５】
爪先側補高調整板１ｆ、２ｆ、３ｆは、靴本体１０の底面１０ｂにおける爪先側１０ｆに設けられており、この順に積層している。爪先側補高調整板１ｆは、上面１ｆａと、底面１ｆｂとを備える。爪先側補高調整板２ｆは、上面２ｆａと、底面２ｆｂとを備える。爪先側補高調整板３ｆは、上面３ｆａと、底面３ｆｂとを備える。
【００１６】
接地板５２、底面１ｆｂ、上面１ｆａ、底面２ｆｂ、上面２ｆａ、底面３ｆｂ、上面３ｆａ、及び靴本体１０の底面１０ｂにおける爪先側１０ｆには、面ファスナー４が設けられている。接地板５２と底面１ｆｂとは、面ファスナー４を用いて、接着可能及び脱離可能に構成される。上面１ｆａと底面２ｆｂとは、面ファスナー４を用いて、接着可能及び脱離可能に構成される。同様に、上面２ｆａと底面３ｆｂとは、面ファスナー４を用いて、接着可能及び脱離可能に構成される。同様に、上面３ｆａと靴本体１０の底面１０ｂにおける爪先側１０ｆとは、面ファスナー４を用いて、接着可能及び脱離可能に構成される。面ファスナー４として、多種多様なタイプの面ファスナーを利用することができる。面ファスナー４として、例えば、フック状に起毛したフック面と、ループ状に起毛したループ面とを組み合せたタイプ、マッシュルーム形状に起毛した両面とを組み合わせたタイプや、矢尻形状に起毛した矢尻面と、ループ面とを組み合せたタイプ等を用いてもよい。
【００１７】
挿入溝１ｆｃ、２ｆｃ、３ｆｃは、爪先側補高調整板１ｆ、２ｆ、３ｆの側面における上面１ｆａ側、上面２ｆａ側、上面３ｆａ側に、それぞれ設けられている。挿入溝１ｆｃ、２ｆｃ、３ｆｃは、それぞれ爪先側補高調整板１ｆ、２ｆ、３ｆの外周において、それぞれ異なる位置にあるとよい。言い換えると、底面１０ｂを正面視すると、挿入溝１ｆｃ、２ｆｃ、３ｆｃは完全に重ならず、別々の位置にあるとよい。また、挿入溝１ｆｃ、２ｆｃ、３ｆｃは、靴本体１０の底面１０ｂの内側に設けられているとよい。挿入溝１ｆｃ、２ｆｃ、３ｆｃが、靴本体１０の底面１０ｂの内側に設けた場合、異物が挿入溝１ｆｃ、２ｆｃ、３ｆｃに挿入し難く、使用者の意図しない爪先側補高調整板１ｆ、２ｆ、３ｆの脱離が生じ難いからである。爪先側補高調整板１ｆの底面１ｆｂは、滑り止めを備えてもよく、補高靴１００が接地板５２を備えていない場合に好適である。
【００１８】
踵側補高調整板１ｒ、２ｒ、３ｒは、靴本体１０の底面１０ｂにおける踵側１０ｒに設けられており、この順に積層している。踵側補高調整板１ｒは、上面１ｒａと、底面１ｒｂとを備える。踵側補高調整板２ｒは、上面２ｒａと、底面２ｒｂとを備える。踵側補高調整板３ｒは、上面３ｒａと、底面３ｒｂとを備える。
【００１９】
接地板５２、底面１ｒｂ、上面１ｒａ、底面２ｒｂ、上面２ｒａ、底面３ｒｂ、上面３ｒａ、及び靴本体１０の底面１０ｂにおける踵側１０ｒとは、面ファスナー４が設けられている。接地板５２と底面１ｆｂとは、面ファスナー４を用いて、接着可能及び脱離可能に構成される。上面１ｒａと底面２ｒｂとは、面ファスナー４を用いて、接着可能及び脱離可能に構成される。同様に、上面２ｒａと底面３ｒｂとは、面ファスナー４を用いて、接着可能及び脱離可能に構成される。同様に、上面３ｒａと靴本体１０の底面１０ｂにおける踵側１０ｒとは、面ファスナー４を用いて、接着可能及び脱離可能に構成される。
【００２０】
挿入溝１ｒｃ、２ｒｃ、３ｒｃは、踵側補高調整板１ｒ、２ｒ、３ｒの側面における上面１ｒａ側、上面２ｒａ側、上面３ｒａ側に、それぞれ設けられている。挿入溝１ｒｃ、２ｒｃ、３ｒｃは、それぞれ踵側補高調整板１ｒ、２ｒ、３ｒの外周において、それぞれ異なる位置にあるとよい。言い換えると、底面１０ｂを正面視すると、挿入溝１ｒｃ、２ｒｃ、３ｒｃは完全に重ならず、別々の位置にあるとよい。また、挿入溝１ｒｃ、２ｒｃ、３ｒｃは、靴本体１０の底面１０ｂの内側に設けられているとよい。挿入溝１ｒｃ、２ｒｃ、３ｒｃが、靴本体１０の底面１０ｂの内側に設けた場合、異物が挿入溝１ｒｃ、２ｒｃ、３ｒｃに挿入し難く、使用者の意図しない踵側補高調整板１ｒ、２ｒ、３ｒの脱離が生じ難いからである。踵側補高調整板１ｒの底面１ｒｂは、滑り止めを備えてもよく、補高靴１００が接地板５２を備えていない場合に好適である。
【００２１】
なお、図１に示す補高調整板１１の一例は、爪先側補高調整板１ｆ、２ｆ、３ｆ、及び踵側補高調整板１ｒ、２ｒ、３ｒを備えたが、補高調整板１１は、爪先側補高調整板と踵側補高調整板との組を一つ、又は複数を備えてもよい。また、補高調整板１１は、補高靴１００の使用者の足全体を支持する補高調整板を１枚、又は複数枚備えてもよい。また、補高靴１００は接地板５２を備えたが、補高靴１００は、接地板５２を備えなくともよい。その場合、もし、補高靴１００は、補高調整板１ｆ、２ｆ、３ｆと同じ構成の補高調整板を１枚のみ備えるとき、面ファスナー４に代えて、本補高調整板の底面に滑り止めを設けてもよい。また、もし、補高靴１００が、補高調整板１ｆ、２ｆ、３ｆと同じ構成の補高調整板を複数枚備えるときは、面ファスナー４に代えて、接地する本補高調整板の底面に滑り止めを設けてもよい。
【００２２】
ここで、爪先側補高調整板１ｆ、２ｆ、３ｆ、及び踵側補高調整板１ｒ、２ｒ、３ｒを靴本体１０から取り外す方法について説明する。指や棒等を爪先側補高調整板１ｆの挿入溝１ｆｃに挿し込み、指や棒等を用いて爪先側補高調整板１ｆを靴本体１０から剥す。続いて、同様に、指や棒等を爪先側補高調整板２ｆの挿入溝２ｆｃに挿し込み、指や棒等を用いて爪先側補高調整板２ｆを靴本体１０から剥す。さらに、指や棒等を爪先側補高調整板３ｆの挿入溝３ｆｃに挿し込み、指や棒等を用いて爪先側補高調整板３ｆを靴本体１０から剥す。同様に、指や棒等を用いて踵側補高調整板１ｒ、２ｒ、３ｒを靴本体１０から剥す。
【００２３】
従って、指等を挿入溝１ｆｃ、２ｆｃ、３ｆｃ、１ｒｃ、２ｒｃ、３ｒｃのそれぞれに挿入し、引っ掛けることによって、爪先側補高調整板１ｆ、２ｆ、３ｆ、及び踵側補高調整板１ｒ、２ｒ、３ｒをそれぞれ容易に靴本体１０から脱離させることができる。また、爪先側補高調整板１ｆ、２ｆ、３ｆ、及び踵側補高調整板１ｒ、２ｒ、３ｒを靴本体１０から脱離させるため、爪先側補高調整板１ｆ、２ｆ、３ｆ、踵側補高調整板１ｒ、２ｒ、３ｒと靴本体１０とが接着した境界部分に、指などを挿しこむことを必要とすることが無い。従って、爪先側補高調整板１ｆ、２ｆ、３ｆ、及び踵側補高調整板１ｒ、２ｒ、３ｒに余計な力を与えないため、爪先側補高調整板１ｆ、２ｆ、３ｆ、及び踵側補高調整板１ｒ、２ｒ、３ｒを脱離する場合、その変形を抑制することができる。よって、爪先側補高調整板１ｆ、２ｆ、３ｆ、及び踵側補高調整板１ｒ、２ｒ、３ｒの使用寿命の低下を抑制することができる。
【００２４】
また、図３に示すように、爪先側補高調整板１ｆは、左右対称であるとよく、補高靴１００の使用者の足の爪先から母趾球を覆う形状を備えるとよい。さらに、図４に示すように、爪先側補高調整板１ｆは、楕円状部３１ｆをその長手方向において先端から所定の長さＬ１ｆの地点において切断することによって形成された形状と同じ形状であるとよい。爪先側補高調整板１ｆがこのような形状を有する場合、図５に示すように、爪先側補高調整板１ｆを、靴本体１０と比較して小さいサイズの靴本体１０の一変形例の底面２１０ｂに接着して、爪先側補高調整板１ｆが底面２１０ｂから食み出る。この食み出た部分は、楕円状部３１ｆを底面２１０ｂに接着した場合、爪先側補高調整板１ｆが底面２１０ｂから食み出た部分と比較して小さい。よって、爪先側補高調整板１ｆは、小さなサイズの補高靴に利用しても、補高靴の底面からはみ出る部分が小さいため、補高靴の利用者が転倒し難く、安定性に優れる。なお、爪先側補高調整板２ｆ、３ｆは、爪先側補高調整板１ｆと同様の形状を備えるとよい。爪先側補高調整板１ｆ、２ｆ、３ｆは、靴本体２０において利用することができる。
【００２５】
また、踵側補高調整板１ｒは、左右対称であるとよく、補高靴１００の使用者の足の踵を覆う形状を備えるとよい。なお、踵側補高調整板２ｒ、３ｒは、踵側補高調整板１ｒと同様の形状を備えるとよい。踵側補高調整板１ｒ、２ｒ、３ｒは、靴本体２０において利用することができる。
【００２６】
また、補高靴１００は、図６及び図７に示す靴本体２１０を備えてもよい。靴本体２１０は、靴本体１０の一変形であり、挿入溝１０ｆｃ、１０ｒｃを備える。靴本体２１０は、補高靴１００の使用者の足全体を覆うサイズを備える板状の底部１０ｄを備える。挿入溝１０ｆｃは、靴本体１０の底部１０ｄの底面１０ｂにおける爪先側１０ｆに設けられている。挿入溝１０ｒｃは、靴本体１０の底部１０ｄの底面１０ｂにおける踵側１０ｒに設けられている。また、挿入溝１０ｆｃ、１０ｒｃは、底部１０ｄの底面１０ｂの内側に設けられているとよい。挿入溝１０ｆｃ、１０ｒｃが、靴本体１０の底面１０ｂの内側に設けた場合、異物が挿入溝１０ｆｃ、１０ｒｃに挿入し難く、使用者の意図しない爪先側補高調整板３ｆ、踵側補高調整板３ｒの脱離が生じ難いからである。なお、靴本体１０が挿入溝１０ｆｃを備える場合、爪先側補高調整板３ｆが挿入溝３ｆｃを備えなくてもよい。また、靴本体１０が挿入溝１０ｒｃを備えると、踵側補高調整板３ｒが挿入溝３ｒｃを備えなくてもよい。
【００２７】
（実施の形態２）
次に、図８を参照して実施の形態２に係る補高靴について説明する。実施の形態２に係る補高靴は、靴本体及び補高調整板を除いて、補高靴１００（図１及び２参照）と同じ構成を備える。補高靴１００と異なる構成にのみについて説明する。
【００２８】
図８に示すように、補高靴５０は、靴本体３１０と、補高調整板５１と、接地板５２とを備える。
【００２９】
靴本体３１０は、底部３１０ｄを除いて、靴本体２１０（図６参照）と同じ構成を備える。底部３１０ｄは、凹部１０ｆｅ、１０ｒｅを備える。凹部１０ｆｅ、１０ｒｅは、靴本体３１０の底面１０ｂにおける爪先側１０ｆ、踵側１０ｒにそれぞれ設けられている。凹部１０ｆｅ、１０ｒｅは、靴本体３１０の上面１０ａ側に向かって凹む形状を有する。凹部１０ｆｅ、１０ｒｅは、補高調整板５１から離間している。凹部１０ｆｅ、１０ｒｅは、例えば、補高靴５０の使用者の指が挿入可能な大きさを備えるとよい。
【００３０】
補高調整板５１は、爪先側補高調整板５１ｆと、踵側補高調整板５１ｒとを備える。爪先側補高調整板５１ｆと、踵側補高調整板５１ｒとは、例えば、面ファスナー４（図２参照）等を用いて、靴本体１０の底面１０ｂに接着可能及び脱離可能に設けられている。凹部１０ｆｅ、１０ｒｅは、それぞれ、爪先側補高調整板５１ｆと、踵側補高調整板５１ｒとから離間しており、面ファスナー４等と接触していない。凹部１０ｆｅ、１０ｒｅが指や棒等を引っ掛けられることによって、爪先側補高調整板５１ｆと、踵側補高調整板５１ｒとが靴本体１０から脱離する。
【００３１】
図９に示すように、爪先側補高調整板５１ｆは、切り欠け部５１ｆｃを備える板状体である。爪先側補高調整板５１ｆは、上面５１ｆａと、底面５１ｆｂとを備える。上面５１ｆａには、面ファスナー４が設けられている。上面５１ｆａは、面ファスナー４に覆われている領域と、面ファスナー４に覆われていない残りの面ファスナー非接触領域５１ｆｄとを備える。面ファスナー非接触領域５１ｆｄの一部は、上面５１ｆａの外周にあるとよく、切り欠け部５１ｆｃと隣接するとよい。
【００３２】
図１０に示すように、踵側補高調整板５１ｒは、切り欠け部５１ｒｃを備える板状体である。踵側補高調整板５１ｒは、上面５１ｒａと、底面５１ｒｂとを備える。上面５１ｒａには、面ファスナー４が設けられている。上面５１ｒａは、面ファスナー４に覆われている領域と、面ファスナー４に覆われていない残りの面ファスナー非接触領域５１ｒｄとを備える。面ファスナー非接触領域５１ｒｄの一部は、上面５１ｒａの外周にあるとよく、切り欠け部５１ｒｃと隣接するとよい。
【００３３】
図１１に示すように、爪先側補高調整板５１ｆを３枚積層する場合が有る。爪先側補高調整板５１ｆを３枚積層した場合、それぞれ切り欠け部５１ｆｃが完全に重なることなく、異なる位置に位置するとよい。積層した爪先側補高調整板５１ｆの複数枚において、切り欠け部５１ｆｃの位置がそれぞれ異なる場合、特定の切り欠け部５１ｆｃの位置に、指等を挿し込み、引っ掛けることで、爪先側補高調整板５１ｆを１枚ごと脱離させることができる。
【００３４】
（実施の形態３）
次に、図１２を参照して、実施の形態３に係る補高靴について説明する。実施の形態３に係る補高靴は、補高調整板を除いて、補高靴１００（図１及び２参照）と同じ構成を備える。補高靴１００と異なる構成にのみについて説明する。
【００３５】
図１２に示すように、補高靴１５０は、靴本体１０と、補高調整板１５１と、接地板５２とを備える。
【００３６】
補高調整板１５１は、靴本体１０と接地板５２とに挟まれている。補高調整板１５１は、複数枚積層していてもよい。補高調整板１５１の上面及び下面には、面ファスナー４が設けられている。接地板５２と補高調整板１５１とは、面ファスナー４を用いて、接着可能及び脱離可能に構成される。また、補高調整板１５１同士は、面ファスナー４を用いて、接着可能及び脱離可能に構成されてもよい。図１２に示す補高調整板１５１の一例は、３枚積層している。
【００３７】
補高調整板１５１は、補高靴１００の使用者の足全体を覆うサイズを備える板状体である。補高調整板１５１は、補高靴１００の使用者の足の踵側に突き出た踵側一端部１５１ａを備え、踵側一端部１５１ａは、隣接する補高調整板１５１、及び接地板５２に関して、傾斜する傾斜面１５１ｂを備える。具体的には、傾斜面１５１ｂは、隣接する補高調整板１５１又は接地板５２から離れるように傾斜し、面ファスナー４と接触しない。よって、指等が、補高調整板１５１、及び接地板５２をつまみやすく、補高調整板１５１、及び接地板５２を靴本体１０から脱離させ易い。
【００３８】
なお、本発明は上記実施の形態に限られたものではなく、趣旨を逸脱しない範囲で適宜変更することが可能である。
【符号の説明】
【００３９】
５０、１００、１５０  補高靴
１０、２０、２１０、３１０  靴本体          １０ｄ、３１０ｄ  底部
１０ｂ、２１０ｂ  底面
１０ｆ  爪先側                              １０ｒ  踵側
１０ｆｃ、１０ｒｃ  挿入溝                  １０ｆｅ  凹部
１１、２１、５１、１５１  補高調整板
１ｆ、２ｆ、３ｆ、５１ｆ  爪先側補高調整板
１ｆｂ、２ｆｂ、３ｆｂ、５１ｆｂ  底面      
１ｆｃ、２ｆｃ、３ｆｃ  挿入溝
１ｒ、２ｒ、３ｒ、５１ｒ  踵側補高調整板
１ｒｂ、２ｒｂ、３ｒｂ、５１ｒｂ  底面      
１ｒｃ、２ｒｃ、３ｒｃ  挿入溝
４  面ファスナー
５１ｆｃ、５１ｒｃ  切り欠け部
５１ｆｄ、５１ｒｄ  面ファスナー非接触領域
５２  接地板
１５１ａ  踵側一端部                        １５１ｂ  傾斜面
【図１】
2019055017.tif 000003
【図２】
2019055017.tif 000004
【図３】
2019055017.tif 000005
【図４】
2019055017.tif 000006
【図５】
2019055017.tif 000007
【図６】
2019055017.tif 000008
【図７】
2019055017.tif 000009
【図８】
2019055017.tif 000010
【図９】
2019055017.tif 000011
【図１０】
2019055017.tif 000012
【図１１】
2019055017.tif 000013
【図１２】
2019055017.tif 000014